(57)【要約】【課題】  雨・風等の過酷な環境下でも使用者が使うことができ、信頼性が高く、ユーザビリティの高い筆記装置の移動軌跡を検出して筆記情報を生成する情報入力装置を提供する。【解決手段】  少なくとも情報表示媒体Ｃの情報表示面を覆う媒体収納部１２の一部を、収納状態の情報表示媒体Ｃの情報表示面の表示内容を視認可能とし筆記装置Ｂによる筆記を許容する筆記面１１により構成する。この媒体収納部１２に情報表示媒体Ｃを収納すると、情報表示媒体Ｃに形成されたコードシンボルＢＣに格納された識別情報をＩＤ検出手段９により検出する。そして、ＩＤ検出手段９により検出された識別情報に関連付けられた筆記情報を、当該識別情報に関連付けて情報を蓄積している情報蓄積部に送信する。これにより、使用者が筆記したい情報表示媒体Ｃの少なくとも情報表示面を覆った状態のまま情報表示面の表示内容を視認して筆記することができる。【選択図】    図５
2005267336.tif 000002
【特許請求の範囲】
【請求項１】
筆記装置の移動軌跡を検出して筆記情報を生成する情報入力装置において、
識別情報を格納したコードシンボルが付されたシート状の情報表示媒体の少なくとも情報表示面を覆い、当該情報表示媒体を収納・取り出し自在に保持する媒体収納部と、
この媒体収納部の一部を構成し、収納状態の前記情報表示媒体の前記情報表示面の表示内容を視認可能とし、前記筆記装置による筆記を許容する筆記面と、
前記媒体収納部に収納された前記情報表示媒体に形成された前記コードシンボルを、前記筆記面を介して光学的に読み取って前記識別情報を検出するＩＤ検出手段と、
このＩＤ検出手段により検出された前記識別情報に前記筆記情報を関連付ける手段と、
前記識別情報に関連付けられた前記筆記情報を、前記識別情報に関連付けて情報を蓄積している情報蓄積部に送信する手段と、
を備えることを特徴とする情報入力装置。
【請求項２】
前記媒体収納部に収納された前記情報表示媒体の前記コードシンボルの位置に対応する前記筆記面の領域は前記ＩＤ検出手段が採用する光学系の波長領域で透明であり、前記筆記面の他の領域は可視領域で透明である、
ことを特徴とする請求項１記載の情報入力装置。
【請求項３】
前記媒体収納部に収納される前記情報表示媒体の基材が透明材で構成されている場合、前記媒体収納部の媒体保持面を白色に着色する、
ことを特徴とする請求項２記載の情報入力装置。
【請求項４】
前記筆記面上に記述されている前記筆記装置による加筆部分を消去する加筆消去用イレーサを備える、
ことを特徴とする請求項１ないし３のいずれか一記載の情報入力装置。
【請求項５】
前記情報表示媒体のページ切り替えを電子的に認識させる手段を備える、
ことを特徴とする請求項１ないし４のいずれか一記載の情報入力装置。
【請求項６】
前記情報表示媒体のページ切り替えが指示された場合、前記筆記面上に記述されている前記筆記装置による加筆部分の消去を要する旨を報知する手段を備える、
ことを特徴とする請求項５記載の情報入力装置。
【請求項７】
前記情報表示媒体のページ切り替えが指示された後に前記識別情報を検出した場合、前記筆記面上に記述されている前記筆記装置による加筆部分の消去を要する旨を報知する手段を備える、
ことを特徴とする請求項５記載の情報入力装置。
【発明の詳細な説明】
【技術分野】
【０００１】
本発明は、筆記装置の移動軌跡を検出して筆記情報を生成する情報入力装置に関する。
【背景技術】
【０００２】
近年、この種の情報処理システムに関する研究・開発が盛んであり、各種提案もなされている。その１つとして、例えば、本出願人により提案された特許文献１に示されるものがある。これは、文字やイメージなどの各種情報を見られる状態で保存する手法として、従来から利用されている紙（普通の紙）そのものと、ディスプレイ及びメモリを有するコンピュータとの一長一短を解析し、各々の利点をとるようにした提案例である。
【０００３】
図１７及び図１８はその情報処理システムの構成例の一例を示すもので、全体が紙状で各種情報を書替自在に表示して維持する複数の情報表示媒体であるカラーサーモクロミックを画像表示層に用いたデジタルペーパー１００と情報記録装置としてのデジタイザ（タブレット）１０１との組み合わせとして構成されている。即ち、デジタルペーパー１００の画像表示層を構成するロイコ染料と顕色剤とを混合したカラーサーモクロミックは、加熱により透明状態と黒色状態とに可逆的に変化するよう調整されている。この画像表示層が透明な部分では、これと透明な保護フィルムを介してベースフィルムの白色が視認され、画像表示層が黒色に変化した部分では、これが透明な保護フィルムを介して視認される。このため、デジタルペーパー１００には、表面の全域に画像表示面１０２が形成されており、この画像表示面１０２が各種情報を書替自在に表示する。この画像表示面１０２の画像表示は画像表示層の状態変化により実現されるので、情報の表示と消去にはエネルギを消費するが、表示した画像情報の維持にはエネルギを消費しない。
【０００４】
デジタイザ１０１は、図１７に示すように、平板状の本体ボード１０３を有しており、この本体ボード１０３の表面にヒートパネル１０４が設けられている。このヒートパネル１０４は、多数の発熱素子（図示せず）が４００dpi （dot per inch）の密度で縦横に配列されており、例えばＡ４判より一回り大きいサイズに形成されている。本体ボード１０３の一端には、透明な入力フィルム１０５が開閉自在に装着されており、この入力フィルム１０５がヒートパネル１０４の表面に位置している。１０６は筆記ペンである。
【０００５】
つまり、上記提案例によれば、デジタルペーパー１００（媒体）にはコンピュータで作成された、或いは、手書き入力された各種情報が何度も書替自在で（つまり、紙のように消費をしない）、その情報はメモリへ蓄積させたり、外部へ出力させたり、外部から入力させたり、コンピュータで処理することが可能なデジタル情報として扱える。
【０００６】
ところが、ユーザビリティの観点から見ると、既に各種情報が書き込まれ、又は、印字された複数枚のデジタルペーパー１００（媒体）を積載させて、その文書上に加筆入力するようなワーキングプロセスの場合（例えば、会議や文書チェック時、創造的活動時等）、図１７に示すような情報処理システムでは、デジタルペーパー１００を１枚ずつデジタイザ１０１上に載せて加筆又は情報の入出力を行い、終わったらそのページ（デジタルペーパー１００）を外して、次の１枚のデジタルペーパー１００を載せて加筆しなくてはならず、極めて面倒である。
【０００７】
また、その際に、デジタルペーパー１００（媒体）上の加筆前情報と加筆後の内容については、メモリチップ等の情報蓄積媒体に蓄積する方法が述べられている。しかし、この方法では、積載させた複数枚のデジタルペーパー１００（媒体）をぱらぱらめくってノート感覚で作業又は仕事をするような状況では、複数枚のデジタルペーパー１００（媒体）の加筆前情報に対してどこのページに何を加筆したかという情報を関連付ける（リンクさせる）ことができない。つまり、デジタイザ１０１上に積載させた複数枚のデジタルペーパー１００に関してその１枚１枚を識別するような手段については言及されていない。
【０００８】
この点、タブレット上に装着された情報表示媒体を識別する方法として、例えば、特許文献２によれば、各媒体毎にその上辺部分にバーコード等の識別情報を印刷しておくとともに、タブレットの上方、例えば、媒体を固定保持するクリップ部分にその識別情報を検知するＩＤ検知手段を付設することが開示されている。
【０００９】
ところが、この方法の場合、実使用を考えると、タブレット上には媒体を１枚しか載せられない。なぜなら、複数枚の媒体を積載させてぱらぱらめくったり戻したりして任意の媒体に対して書き込みを行なうような状況下であっても、ＩＤ検知手段により識別情報が認識されるのは常に最上位の媒体であり、現に書き込みを行なっている途中の媒体に関してはその識別情報の認識が不可能だからである。
【００１０】
すなわち、図１９及び図２０に示すように、あるページを途中までめくりながら次のページに書込みを行なうような作業形態は多いが、バーコード１１０が保持辺部分に印刷され、２次元バーコードリーダ１１１を備えた保持用クリップ１１２により固定保持されているため、ページをめくった場合でも常に最上位の情報表示媒体１１３のバーコード１１０しか認識できない。
【００１１】
そこで、本出願人は、特許文献３において、会議、創造的活動等において、複数枚の情報表示媒体をぱらぱらめくってノート感覚で作業又は仕事するような一般的な状況下に、主にタブレット上に積載された複数枚の情報表示媒体の１枚１枚を確実に識別でき、加筆前情報に対してどこのページに加筆したかという情報をユーザが特に意識せずとも関連付けることができる情報処理システムを提案している。
【００１２】
【特許文献１】特開平９−１０１８６４号公報
【特許文献２】特開平７−２００１３４号公報
【特許文献３】特開２０００−１１２６４６公報
【発明の開示】
【発明が解決しようとする課題】
【００１３】
ところが、特許文献３で提案されたような情報処理システムであっても、まだ完全とはいえず、解決されねばならない課題が存在する。例えば、屋内外でのモバイル的な使い方を考えた場合、情報表示媒体に印字されているフォーム等の書式情報上にワークで発生した内容を加筆入力するようなワーキングプロセス（例えば、街頭のアンケート調査や交通事故調査、工事現場等の現場でのチェック作業等）が想定されるが、天候等によってその使い勝手が左右されることがあり、更なる改善が望まれている。具体的には、特許文献３で提案されたような情報処理システムを屋外で使用する場合、情報表示媒体を装置表面上に載せて加筆または情報の入出力をすることになるため、雨・風等の悪環境条件下においては、設置した情報表示媒体が濡れたり吹き飛ばされたりして、作業が中断してしまうことがある。また、屋内で使用する場合でも、水滴等に対する生活的な防滴が必要となる業務形態もある。
【００１４】
本発明は、雨・風等の過酷な環境下でも使用者が使うことができ、信頼性が高く、ユーザビリティの高い装置を提供することを目的とする。
【課題を解決するための手段】
【００１５】
請求項１記載の発明は、筆記装置の移動軌跡を検出して筆記情報を生成する情報入力装置において、識別情報を格納したコードシンボルが付されたシート状の情報表示媒体の少なくとも情報表示面を覆い、当該情報表示媒体を収納・取り出し自在に保持する媒体収納部と、この媒体収納部の一部を構成し、収納状態の前記情報表示媒体の前記情報表示面の表示内容を視認可能とし、前記筆記装置による筆記を許容する筆記面と、前記媒体収納部に収納された前記情報表示媒体に形成された前記コードシンボルを、前記筆記面を介して光学的に読み取って前記識別情報を検出するＩＤ検出手段と、このＩＤ検出手段により検出された前記識別情報に前記筆記情報を関連付ける手段と、前記識別情報に関連付けられた前記筆記情報を、前記識別情報に関連付けて情報を蓄積している情報蓄積部に送信する手段と、を備える。
【００１６】
したがって、少なくとも情報表示媒体の情報表示面を覆う媒体収納部の一部が、収納状態の情報表示媒体の情報表示面の表示内容を視認可能とし筆記装置による筆記を許容する筆記面により構成される。この媒体収納部に情報表示媒体が収納されると、情報表示媒体に形成されたコードシンボルに格納された識別情報がＩＤ検出手段により検出される。そして、ＩＤ検出手段により検出された識別情報に関連付けられた筆記情報が、当該識別情報に関連付けて情報を蓄積している情報蓄積部に送信される。これにより、使用者が筆記したい情報表示媒体の少なくとも情報表示面を覆った状態のまま情報表示面の表示内容を視認して筆記することが可能になっているので、雨・風等の過酷な環境下でも使用者が使うことが可能になり、信頼性が高く、ユーザビリティの高い装置を提供することが可能になる。
【００１７】
請求項２記載の発明は、請求項１記載の情報入力装置において、前記媒体収納部に収納された前記情報表示媒体の前記コードシンボルの位置に対応する前記筆記面の領域は前記ＩＤ検出手段が採用する光学系の波長領域で透明であり、前記筆記面の他の領域は可視領域で透明である。
【００１８】
したがって、目視で情報表示媒体に印字された内容を確実に判読することが可能になるとともに、ＩＤ検出手段が持っている検出能力に支障が出ないようにすることが可能になる。
【００１９】
請求項３記載の発明は、請求項２記載の情報入力装置において、前記媒体収納部に収納される前記情報表示媒体の基材が透明材で構成されている場合、前記媒体収納部の媒体保持面を白色に着色する。
【００２０】
したがって、媒体収納部に収納された情報表示媒体が高コントラストな表示を保つような配色になっているので、長時間使っても疲れず、ヒューマンフレンドリーな装置を提供することが可能になる。
【００２１】
請求項４記載の発明は、請求項１ないし３のいずれか一記載の情報入力装置において、前記筆記面上に記述されている前記筆記装置による加筆部分を消去する加筆消去用イレーサを備える。
【００２２】
したがって、使用者が筆記面上に筆記装置により筆記しても消去することが可能になるので、使い勝手の良い装置を提供することが可能となる。
【００２３】
請求項５記載の発明は、請求項１ないし４のいずれか一記載の情報入力装置において、前記情報表示媒体のページ切り替えを電子的に認識させる手段を備える。
【００２４】
したがって、同じ情報表示媒体上に内容の異なるコンテンツを目視的にかつ電子的に書き込むことが可能となり、情報蓄積部へ筆記情報をアップしたときには別件の情報として処理することが可能になる。
【００２５】
請求項６記載の発明は、請求項５記載の情報入力装置において、前記情報表示媒体のページ切り替えが指示された場合、前記筆記面上に記述されている前記筆記装置による加筆部分の消去を要する旨を報知する手段を備える。
【００２６】
したがって、電子的にページ切り替えが行なわれたにもかかわらず前に書いた手書きによる加筆部分が消去されていない場合には、電子的には異なるページに対する加筆データ（筆記情報）と区別は出来ているものの、現場では後から加筆したものと混在してしまい混乱することになることから、筆記面上の前回の加筆部分を消去したかどうか確認させることにより、信頼性の高い装置を提供することが可能となる。
【００２７】
請求項７記載の発明は、請求項５記載の情報入力装置において、前記情報表示媒体のページ切り替えが指示された後に前記識別情報を検出した場合、前記筆記面上に記述されている前記筆記装置による加筆部分の消去を要する旨を報知する手段を備える。
【００２８】
したがって、電子的にページ切り替えが行なわれたにもかかわらず前に書いた手書きによる加筆部分が消去されていない場合には、電子的には異なるページに対する加筆データ（筆記情報）と区別は出来ているものの、現場では後から加筆したものと混在してしまい混乱することになることから、筆記面上の前回の加筆部分を消去したかどうか筆記する直前に確認させることにより、信頼性の高い装置を提供することが可能となる。
【発明の効果】
【００２９】
請求項１記載の発明によれば、少なくとも情報表示媒体の情報表示面を覆う媒体収納部の一部を、収納状態の情報表示媒体の情報表示面の表示内容を視認可能とし筆記装置による筆記を許容する筆記面により構成する。この媒体収納部に情報表示媒体を収納すると、情報表示媒体に形成されたコードシンボルに格納された識別情報をＩＤ検出手段により検出する。そして、ＩＤ検出手段により検出された識別情報に関連付けられた筆記情報を、当該識別情報に関連付けて情報を蓄積している情報蓄積部に送信することにより、使用者が筆記したい情報表示媒体の少なくとも情報表示面を覆った状態のまま情報表示面の表示内容を視認して筆記することができるので、雨・風等の過酷な環境下でも使用者が使うことができ、信頼性が高く、ユーザビリティの高い装置を提供することができる。
【００３０】
請求項２記載の発明によれば、目視で情報表示媒体に印字された内容を確実に判読することができるとともに、ＩＤ検出手段が持っている検出能力に支障が出ないようにすることができる。
【００３１】
請求項３記載の発明によれば、媒体収納部に収納された情報表示媒体が高コントラストな表示を保つような配色になっているので、長時間使っても疲れず、ヒューマンフレンドリーな装置を提供することができる。
【００３２】
請求項４記載の発明によれば、使用者が筆記面上に筆記装置により筆記しても消去することができるので、使い勝手の良い装置を提供することができる。
【００３３】
請求項５記載の発明によれば、同じ情報表示媒体上に内容の異なるコンテンツを目視的にかつ電子的に書き込むことができ、情報蓄積部へ筆記情報をアップしたときには別件の情報として処理することができる。
【００３４】
請求項６記載の発明によれば、電子的にページ切り替えが行なわれたにもかかわらず前に書いた手書きによる加筆部分が消去されていない場合には、電子的には異なるページに対する加筆データ（筆記情報）と区別は出来ているものの、現場では後から加筆したものと混在してしまい混乱することになることから、筆記面上の前回の加筆部分を消去したかどうか確認させることにより、信頼性の高い装置を提供することができる。
【００３５】
請求項７記載の発明によれば、電子的にページ切り替えが行なわれたにもかかわらず前に書いた手書きによる加筆部分が消去されていない場合には、電子的には異なるページに対する加筆データ（筆記情報）と区別は出来ているものの、現場では後から加筆したものと混在してしまい混乱することになることから、筆記面上の前回の加筆部分を消去したかどうか筆記する直前に確認させることにより、信頼性の高い装置を提供することができる。
【発明を実施するための最良の形態】
【００３６】
[第一の実施の形態]
本発明の第一の実施の形態を図１ないし図１０に基づいて説明する。
【００３７】
[１．筆記システム１の構成についての説明]
図１は本実施の形態の情報処理システムとして例示する筆記システム１の概要を示す外観斜視図、図２は筆記情報入力部Ａの縦断側面図、図３は筆記情報入力部Ａの正面図、図４は筆記情報入力部Ａのハードウェア構成を示すブロック図である。この筆記システム１は、図１に示すように、情報入力装置を構成する超音波方式の座標検出部を含む筆記情報入力部Ａと、筆記装置である手書き入力用のペンＢと、文書情報が予め印刷されている情報表示媒体である記録媒体Ｃと、により構成されており、情報蓄積部である外部のコンピュータ（ＰＣ：Personal Computer）５０（図４参照）と接続可能とされている。
【００３８】
図１に示すように、記録媒体Ｃは、全体がシート状に形成されたもので、例えば、Ａ４判サイズのものが用いられている。これらの記録媒体Ｃには、コンピュータ５０に格納されている各種文書データが１画面単位で各々プリンタ（図示せず）により予め印刷されているとともに、後述するように、その印刷時にコンピュータ５０内の文書の一部であることを示すＩＤ情報（識別情報）がバーコードＢＣの形態で紙の端部に印刷されている。このようにコンピュータ５０に格納されている各種文書データやバーコードＢＣが印刷されている面を情報表示面という。
【００３９】
ここで、記録媒体Ｃに印刷されているコードシンボル（バーコードＢＣ）について説明する。このバーコードＢＣは前述したようにその記録媒体Ｃに印刷されている表示画像情報がコンピュータ５０内の文書の一部であることを示すものであるが、そのバーコードＢＣが表現するものとしては、例えば、文書名、ページ番号、コンピュータ名（ＰＣ名）、そのＩＰアドレス等があり、
￥￥ＰＣ名（ＰＣのＩＰアドレス）￥ドライブ名￥フォルダ名￥文書名￥ページ
のようなディレクトリ構造により、その文書（最小は、１ページ分）の格納してある個所（情報蓄積個所）を一義的に特定し得るものであれば良い。
【００４０】
なお、バーコードＢＣに直接これらの情報をエンコードできない場合は、ある数値情報をエンコードしておき、別途ＩＤ情報（識別情報）と対応がわかるようなテーブルを用意しておき、後で参照するようにプログラムしておく。直接コードする場合は、コードシンボルとしてＱＲコード（登録商標）やデータマトリックスコードなどの２次元コードを用いても良い。
【００４１】
ペンＢは、筆記の際に超音波と光を放射するアクティブなペンであり、当該ペンＢを用いて文字や線などを筆記する、その筆記中に超音波と光信号を出力するものである。このような超音波を利用して筆記軌跡を取得する超音波方式のペンＢは周知であることから、その詳細な説明は省略する。
【００４２】
図１ないし図４に示す筆記情報入力部Ａは、ＣＰＵ（Central Processing Unit）等で構成される制御部５を備えており、この制御部５が適切なプログラムに従って各種の情報処理を実行することにより、各種の機能を果たす。この制御部５には、ペンＢからの発信を受信する座標検出部（受信手段（受光部）２及び受信手段（マイク）３Ｒ，３Ｌ）に接続されている演算処理部４、メモリ６、ＬＣＤ（Liquid Crystal Display）である表示手段７、通信手段８、記録媒体Ｃに印刷されているバーコードＢＣのＩＤ情報（識別情報）を検出するＩＤ検出手段９が接続されている。この場合、通信手段８としてはＲＳ−２３２ＣポートやＰＣＭＣＩＡポートといった一般的なインタフェースが用いられている。
【００４３】
この筆記情報入力部Ａは、超音波を利用してペンＢによる筆記面１１上の筆記軌跡を取得するものである。超音波を利用して筆記軌跡を取得する手法は周知であることから、その詳細な説明は省略する。概略的には、超音波を利用して筆記軌跡を取得する手法は、ペンＢより赤外線および超音波を同時に発し、これらをペンＢによる筆記を許容する筆記面１１の端部に設置された座標検出部（受信手段（受光部）２及び受信手段（マイク）３Ｒ，３Ｌ）で検知した後、受信回路を経由してデジタル信号として変換し、演算処理部４により計算し、その時間差からペンＢと受信手段（マイク）３Ｒ，３Ｌの距離を測定するものである。すなわち、複数の受信手段（マイク）３Ｒ，３Ｌを設けることにより、三角測量の原理により受信手段（マイク）３Ｒ，３ＬとペンＢの相対位置関係を受信回路および演算処理部４を介して取得する装置である。こうして取得された筆記情報は、制御部５によってメモリ６に記憶される。メモリ６は情報蓄積媒体であり、例えば大容量のフラッシュメモリやハードディスクで構成されている。
【００４４】
筆記情報入力部Ａでは、受信手段（マイク）３Ｒ，３ＬとペンＢとの位置関係は求まるものの、受信手段（マイク）３Ｒ，３Ｌと記録媒体Ｃの位置関係が既知でないと、記録媒体Ｃ上の筆記座標を得ることはできない。そこで、筆記情報入力部Ａでは、記録媒体Ｃに対して厳密な加筆位置を取得するために、記録媒体Ｃを正確に位置決めして精度を出す必要がある。ここで、筆記情報入力部Ａにおける記録媒体Ｃの位置決め手法について説明する。筆記情報入力部Ａにおいては、記録媒体Ｃを収納・取り出し自在に保持する入り口がスリット形状の収納穴１２が形成されている。この収納穴１２は、その一部を筆記面１１により構成している。筆記面１１は、詳細は後述するが収納状態の記録媒体Ｃの情報表示面の表示内容を視認可能とし、筆記装置Ｂによる筆記を許容する。また、この収納穴１２は、記録媒体Ｃと略同一形状の空間に形成されている。このように記録媒体Ｃを筆記情報入力部Ａに形成された収納穴１２へ収納することにより、記録媒体Ｃを正確に位置決めすることができる。すなわち、筆記情報入力部Ａに形成された収納穴１２は、記録媒体Ｃの少なくとも情報表示面を覆い、当該記録媒体Ｃを収納・取り出し自在に保持する媒体収納部である。また、このように筆記情報入力部Ａの収納穴１２に使用者が筆記したい記録媒体Ｃの少なくとも情報表示面を覆った状態のまま情報表示面の表示内容を視認して筆記することができるようになっているので、雨・風等の過酷な環境下でも使用者が使え、信頼性が高くなる。
【００４５】
ＩＤ検出手段９は、記録媒体Ｃに印刷されたバーコードＢＣを光学的に読取るためのものであり、収納穴１２に収納された記録媒体ＣのバーコードＢＣの位置に対応させて設けられている。ＩＤ検出手段９は、近赤外ＬＥＤ（Light Emitting Diode）による照明系とラインＣＣＤ（Charge Coupled Device）によるスキャン型ラインセンサである。なお、バーコードＢＣを光学的に読取るＩＤ検出手段９としては、ＬＥＤを一括照射してバーコードを検出するタイプのほか、レーザを用いたレーザ走査型でも良い。さらに、ＱＲコード（登録商標）やデータマトリックスコードなどの２次元コードを用いる場合には、ＣＣＤやＣＭＯＳなどのエリアセンサで構成されるコードリーダをＩＤ検出手段９として適用しても良い。このようにしてＩＤ検出手段９から入力された文書のＩＤ情報（識別情報）は、筆記情報とともに制御部５によってメモリ６に記憶される。
【００４６】
ところで、このようなＩＤ検出手段９と収納穴１２に収納された記録媒体Ｃとの間が光学的に不透明であるとＩＤ検出手段９はバーコードＢＣを検出することができないため、筆記情報入力部Ａの収納穴１２に収納された記録媒体ＣのバーコードＢＣの位置に対応する部分は、少なくともＩＤ検出手段９が持っている検出能力に支障が出ないようにＩＤ検出手段９が採用する光学系（照明系と検出系）の波長領域で透明になっている必要があり、前述した近赤外ＬＥＤとＣＣＤやＣＭＯＳセンサであれば十分である。他の領域については、目視で記録媒体Ｃに印字された内容が判読できる程度であれば良く、記録媒体Ｃ全面がユーザにとってよく見えるようにするには、可視領域で透明にする。本実施の形態の筆記情報入力部Ａにおいては、筆記面１１以外の部分（特に、媒体収納部である収納穴１２の媒体保持面）については着色されており、通常の普通紙を記録媒体Ｃとして用いた場合、記録媒体Ｃが収納されていない場合の装置全体のデザイン色を呈している。また、記録媒体Ｃとして、特開平５−１２４３６０号公報に示すような発色と消色の二状態をとり得るロイコ染料を感熱記録層として用い、無色の地肌に可逆的に黒色の発色印字画像を形成できる可逆的感熱記録媒体を用いた場合は、ユーザが上から見た場合にコントラストや白色背景に慣れている文書閲覧状況においては、この着色部分は白色が最適となる。なお、本実施の形態のＩＤ検出手段９は、図２に示すように、記録媒体ＣのバーコードＢＣを斜め方向から検出している。
【００４７】
なお、図２に示すように、筆記情報入力部Ａの縦断面形状がＪ字形状になっているのは、座標検出部（受信手段（受光部）２及び受信手段（マイク）３Ｒ，３Ｌ）やＩＤ検出手段９が雨や風等の影響を受けにくくするためである。
【００４８】
このような筆記システム１によれば、記録媒体Ｃが筆記情報入力部Ａの筆記面１１の収納穴１２に収納されていることから記録媒体Ｃには直接加筆することが出来ないため、ペンＢによる手書き操作については、筆記情報入力部Ａの筆記面１１上に加筆することになる。この場合、ユーザは、筆記情報入力部Ａの収納穴１２に収納されている記録媒体Ｃ（例えば、帳票等）を透明な筆記面１１越しに見ながら、筆記面１１上に記入することになる。
【００４９】
[２．筆記システム１の機能についての説明]
このような構成において、本実施の形態の筆記システム１の使用方法について図５に示す模式図及び図６に示すフローチャートを参照して説明する。まず、図５（ａ）に示すように、コンピュータ５０に格納されている文書（ドキュメント）情報が印刷されている記録媒体Ｃを筆記情報入力部Ａの収納穴１２に収納すると、ＩＤ検出手段９が稼動し、記録媒体Ｃに印刷されているバーコードＢＣを読み取り、その記録媒体ＣのＩＤ情報（識別情報）を検出する（ステップＳ１）。このＩＤ情報（識別情報）の検出に基づき、その記録媒体Ｃに印刷されている文書名や文書情報の出所等が表示手段７に表示される（ステップＳ２）。これにより、使用者は表示手段７の表示内容を見るだけで、記録媒体Ｃに印刷されている文書が何の文書であるかが分かるので、便利である。また、検出されたＩＤ情報（識別情報）は制御部５によってメモリ６に格納される（ステップＳ３）。
【００５０】
このような状態で、図５（ｂ）に示すように、使用者がペンＢにより筆記情報入力部Ａの筆記面１１上で手書き入力（加筆）すると（ステップＳ４のＹ）、筆記情報入力部Ａの座標検出部（受信手段（受光部）２及び受信手段（マイク）３Ｒ，３Ｌ）がペンＢの動きに伴う位置情報を検出してその筆記座標データを処理し（加筆データ処理）、制御部５を介して加筆データとしてＩＤ情報（識別情報）に関連付けてメモリ６に格納する処理（メモリ処理）を行なう（ステップＳ５〜７）。図５（ｂ）においては、加筆情報Ｘが加筆されている様子を示している。この格納処理に際して、前述したＩＤ情報（識別情報）に関連付けて加筆データをメモリ６に格納する。
【００５１】
記録媒体Ｃを筆記情報入力部Ａの収納穴１２から取り出し、全ての作業が終了したことを認識すると（ステップＳ８のＮ）、メモリ６に格納されている加筆データを関連するＩＤ情報（識別情報）とともに通信手段８により元々の文書のあったコンピュータ５０に伝送出力する（ステップＳ９）。
【００５２】
加筆データを転送されたコンピュータ５０側においては、ＩＤ情報（識別情報）が一致するかどうかを確認しながら、ＩＤ情報（識別情報）が一致する場合には、その元の文書上に加筆データを上書きして最新のデータファイルに更新する。なお、ＩＤ情報（識別情報）が一致しない場合には、別のコンピュータ内の文書データである可能性が高いので、その旨を表示手段７を通じて使用者に知らせる。
【００５３】
なお、筆記情報入力部Ａの収納穴１２から記録媒体Ｃを抜き取った後、新たな記録媒体Ｃを同じように筆記情報入力部Ａの収納穴１２に収納して入れ替えた場合は、図示していない本体上のリセットボタンを押すことでＩＤ検出手段９を再稼動させて新しい記録媒体Ｃに印刷されているバーコードＢＣを読み取り、その記録媒体ＣのＩＤ情報（識別情報）を検出する。
【００５４】
このように本実施の形態によれば、少なくとも記録媒体Ｃの情報表示面を覆う媒体収納部である収納穴１２の一部を、収納状態の記録媒体Ｃの情報表示面の表示内容を視認可能とし筆記装置Ｂによる筆記を許容する筆記面１１により構成する。この媒体収納部である収納穴１２に記録媒体Ｃを収納すると、記録媒体Ｃに形成されたバーコードＢＣに格納された識別情報をＩＤ検出手段９により検出する。そして、ＩＤ検出手段９により検出された識別情報に関連付けられた筆記情報を、当該識別情報に関連付けて情報を蓄積している情報蓄積部であるコンピュータ５０に送信することにより、使用者が筆記したい記録媒体Ｃの少なくとも情報表示面を覆った状態のまま情報表示面の表示内容を視認して筆記することができるので、雨・風等の過酷な環境下でも使用者が使うことができ、信頼性が高く、ユーザビリティの高い装置を提供することができる。
【００５５】
なお、本実施の形態のＩＤ検出手段９は、図２に示すように記録媒体ＣのバーコードＢＣを斜め方向から検出するようにしたが、これに限るものではない。例えば、ＩＤ検出手段９は、図７に示すように記録媒体ＣのバーコードＢＣを記録媒体Ｃの上方から検出するようにしても良いし、図８に示すように記録媒体ＣのバーコードＢＣを記録媒体Ｃの上方に密着する形で検出するようにしても良い。また、図９に示すように筆記情報入力部Ａの縦断面形状をＪ字形状とせず、記録媒体ＣのバーコードＢＣを記録媒体Ｃの上方に密着する形で検出するようにしても良い。
【００５６】
さらに、図１０に示すように、筆記面１１を開閉可能な透明カバー１３で構成し、透明カバー１３の開け閉めによって記録媒体Ｃを収納穴１２に収納したり取り出すようにしても良い。このような構造でも、同じように耐環境性の向上が実現できる。ただし、この場合は簡単に透明カバー１３が開くことができないように、透明カバー１３の開閉動作を保持するストッパ（図示せず）が必要となる。
【００５７】
[第二の実施の形態]
本発明の第二の実施の形態を図１１ないし図１６に基づいて説明する。なお、前述した第一の実施の形態と同一部分は同一符号で示し説明も省略する。本実施の形態は、前述した第一の実施の形態とは、ページめくりボタン１４と加筆消去用イレーサ１５を追加した点で異なるものである。
【００５８】
[１．筆記システム１の構成についての説明]
図１１は本実施の形態の情報処理システムとして例示する筆記システム１の概要を示す外観斜視図、図１２は筆記情報入力部Ａのハードウェア構成を示すブロック図である。図１１及び図１２に示すように、本実施の形態の筆記情報入力部Ａは、第一の実施の形態の構成に加えて、ページめくりボタン１４と加筆消去用イレーサ１５を備えている。なお、特に図示しないが、本実施の形態のペンＢは、インクによる加筆も可能な構成になっている。
【００５９】
ページめくりボタン１４は、制御部５に接続されており、この制御部５に制御される。このページめくりボタン１４は、これを操作することでページ切り替えを電子的に認識させるためのものである。すなわち、ページめくりボタン１４を操作することで、例えば同じフォームではあるが別件であることの筆記情報入力部Ａ側への入力が可能になる。
【００６０】
また、加筆消去用イレーサ１５は、筆記情報入力部Ａに設けられたイレーサ収納ボックス１５ａ（図１１（ｂ）参照）対して収納・取り出し自在である。この加筆消去用イレーサ１５は、筆記情報入力部Ａの筆記面１１上の加筆部分を消去するためのものである。この加筆消去用イレーサ１５は、例えばスポンジなどを材料として用いて形成されたものであり、筆記面１１上を擦ることで簡単に加筆部分を消去することができる。
【００６１】
[２．筆記システム１の機能についての説明]
このような構成において、本実施の形態の筆記システム１の使用方法について説明する。ここでは、より具体的に、図１３に示すような事故現場検証における定型フォーマットである事故概況説明書Ｃ１（記憶媒体）に対する記入について説明する。すなわち、図１４に示すように、事故概況説明書Ｃ１を筆記情報入力部Ａの収納穴１２に収納し、必要事項を手書きで記述していくものである。したがって、印刷された１枚の事故概況説明書Ｃ１を利用して加筆データ（筆記情報）を取得することになるので、異なる事故については異なるコンテンツ（事故概況報告書）を記述することになり、筆記情報入力部Ａの筆記面１１上に前回記述したものを消す操作、及び電子的なページめくりという機能が必須となる。そこで、本実施の形態の筆記情報入力部Ａにおいては、加筆消去用イレーサ１５及びページめくりボタン１４を備え、加筆消去用イレーサ１５により前回の事故現場での加筆部分を消去することができるようにするとともに、ページめくりボタン１４を操作させることによりページ切り替えを電子的に認識させるようにしたものである。
【００６２】
ところで、電子的にページ切り替えが行なわれたにもかかわらず前に書いた手書きによる加筆部分が消去されていない場合には、電子的には異なるページに対する加筆データ（筆記情報）と区別は出来ているものの、現場では後から加筆したものと混在してしまい混乱することになる。そこで、本実施の形態の筆記情報入力部Ａにおいては、筆記面１１上の前回の加筆部分を消去したかどうか確認させるようにしている。
【００６３】
図１５は筆記情報入力部Ａにおける全体的な処理制御例を示すフローチャートである。図１５に示すように、まず、筆記情報入力部Ａの電源を入れるとカウンタｎが“０”に設定される（ステップＳ１１）。そして、図１４に示すように、事故概況説明書Ｃ１を筆記情報入力部Ａの収納穴１２に収納すると、ＩＤ検出手段９が稼動し、事故概況説明書Ｃ１に印刷されているバーコードＢＣを読み取り、その事故概況説明書Ｃ１のＩＤ情報（識別情報）を検出する（ステップＳ１２）。
【００６４】
ここで、カウンタｎが“０”の場合（ステップＳ１３のＹ）は、最初に検出したＩＤ情報（識別情報）を表示手段７へ表示する（ステップＳ１４）。表示手段７の表示内容はその事故概況説明書Ｃ１のＩＤ情報（識別情報）やその時の日時が適当で、例えば「事故概況報告フォーム  ２００３年２月２８日２３時２５分３０秒」であることを示す、
ＩＤ＝「JIKOSHORI20030228232530」
である。ＩＤ情報（識別情報）を検出及びＩＤ情報（識別情報）の表示後、検出されたＩＤ情報（識別情報）は制御部５によってメモリ６に格納される（ステップＳ１７）。
【００６５】
一方、カウンタｎが“１”の場合（ステップＳ１３のＮ）は、後述するページめくりボタン１４が操作されたものと判断し、事故概況説明書Ｃ１のＩＤ情報（識別情報）を再検出し、再検出したＩＤ情報（識別情報）を表示手段７へ表示し（ステップＳ１６）、ステップＳ１７に進む。この場合は、次なる異なる報告を記述することになるため、表示手段７に表示される事故概況説明書Ｃ１のＩＤ情報（識別情報）は、例えば、
ＩＤ＝「JIKOSHORI20030228240000」
となる。
【００６６】
その後、使用者がペンＢにより筆記情報入力部Ａの筆記面１１上で手書き入力（加筆）すると（ステップＳ１８のＹ）、筆記情報入力部Ａの座標検出部（受信手段（受光部）２及び受信手段（マイク）３Ｒ，３Ｌ）がペンＢの動きに伴う位置情報を検出してその筆記座標データを処理し（加筆データ処理）、制御部５を介して加筆データ（筆記情報）としてＩＤ情報（識別情報）に関連付けてメモリ６に格納する処理（メモリ処理）を行なう（ステップＳ１９〜２１）。
【００６７】
そして、ページめくりボタン１４が操作されたと判断した場合には（ステップＳ２２のＹ）、前回の加筆部分を消去したかどうかの確認用のメッセージを表示手段７へ表示させ（ステップＳ２３）、確認のためページめくりボタン１４がもう一回押されるまで待機する（ステップＳ２４）。ページめくりボタン１４が操作されたと判断した場合には（ステップＳ２４のＹ）、表示手段７の表示を「ＯＫ」表示とし（ステップＳ２５）、カウンタｎを１だけインクリメントする（ステップＳ２６）。
【００６８】
一方、ページめくりボタン１４が操作されたと判断しない場合には（ステップＳ２２のＮ）、そのままステップＳ２７に進む。この場合、事故概況説明書Ｃ１のＩＤ情報（識別情報）は、最初に設定された
ＩＤ＝「JIKOSHORI20030228232530」
のままで変わらない。
【００６９】
ステップＳ１３〜Ｓ２６の処理は、電源が切られるまで（ステップＳ２７のＹ）、繰り返される。
【００７０】
図１６は筆記情報入力部Ａにおける全体的な処理制御の別の例を示すフローチャートである。図１６に示すフローチャートは、使用者が筆記する直前に確認用の警告を表示するようにしたものである。図１６に示すフローチャートは、図１５に示すフローチャートで説明したようにページめくりボタン１４が操作された時に確認用の表示をせずに、ページめくりボタン１４を操作した後の２ページ目の再検出したＩＤ情報（識別情報）を制御部５によってメモリ６に格納した後（ステップＳ３１）、前回の加筆部分を消去したかどうかの警告メッセージを表示手段７へ表示させ（ステップＳ３２）、使用者に警告する。
【００７１】
その後、使用者がペンＢにより筆記情報入力部Ａの筆記面１１上で手書き入力（加筆）すると（ステップＳ３３のＹ）、実質的に使用者が１ページ目に行なった加筆を消したと考えてよいので、警告メッセージの表示を中止し（ステップＳ３４）、ステップＳ１９に進む。
【００７２】
このように本実施の形態によれば、加筆消去用イレーサ１５で筆記情報入力部Ａの筆記面１１上の前回の加筆部分を消去し、ページめくりボタン１４を操作することにより、同じ記録媒体Ｃ（事故概況説明書Ｃ１）上に内容の異なるコンテンツ（事故概況説明）を目視的にかつ電子的に書き込むことが可能となり、コンピュータ５０へデータをアップしたときには別物（別件データ）として処理することができる。このときに、データとしては、事故概況説明書の１番（１ページ）に事故Ａ、事故概況説明書の２番（２ページ）に事故Ｂという加筆データ（筆記情報）とＩＤ情報（識別情報）の関連付けがされる。また、加筆データ取得時に加筆した日時がタイムスタンプとして取得可能であることから、これらの日時データもＩＤ情報（識別情報）として活用できる。
【００７３】
なお、各実施の形態においては、超音波方式により筆記装置の移動軌跡を検出して筆記情報を生成するようにしたが、これに限るものではなく、光学式等の各種の検出方式を採用することができる。
【図面の簡単な説明】
【００７４】
【図１】本発明の第一の実施の形態の情報処理システムとして例示する筆記システムの概要を示す外観斜視図である。
【図２】筆記情報入力部の縦断側面図である。
【図３】筆記情報入力部の正面図である。
【図４】筆記情報入力部のハードウェア構成を示すブロック図である。
【図５】筆記システムの使用例の概要を示す外観斜視図である。
【図６】筆記情報入力部における全体的な処理制御例を示すフローチャートである。
【図７】（ａ）はＩＤ検出手段の変形例を示す縦断側面図、（ｂ）はその正面図である。
【図８】（ａ）はＩＤ検出手段の変形例を示す縦断側面図、（ｂ）はその正面図である。
【図９】（ａ）はＩＤ検出手段の変形例を示す縦断側面図、（ｂ）はその正面図である。
【図１０】筆記情報入力部の変形例を示す斜視図である。
【図１１】本発明の第二の実施の形態情報処理システムとして例示する筆記システムの概要を示す外観斜視図である。
【図１２】筆記情報入力部のハードウェア構成を示すブロック図である。
【図１３】記憶媒体の一例である事故概況説明書を示す斜視図である。
【図１４】筆記システムの使用方法の一例を示す斜視図である。
【図１５】筆記情報入力部における全体的な処理制御例を示すフローチャートである。
【図１６】筆記情報入力部における全体的な処理制御の別の例を示すフローチャートである。
【図１７】従来の筆記システムの概要を示す外観斜視図である。
【図１８】その概略側面図である。
【図１９】異なる従来例の筆記システムの概要を示す外観斜視図である。
【図２０】その概略側面図である。
【符号の説明】
【００７５】
２      媒体収納部
９      ＩＤ検出手段
１１    筆記面
１５    加筆消去用イレーサ
５０    情報蓄積部
Ａ      情報入力装置
Ｂ      筆記装置
ＢＣ    コードシンボル
【図１】
2005267336.tif 000003
【図２】
2005267336.tif 000004
【図３】
2005267336.tif 000005
【図４】
2005267336.tif 000006
【図５】
2005267336.tif 000007
【図６】
2005267336.tif 000008
【図７】
2005267336.tif 000009
【図８】
2005267336.tif 000010
【図９】
2005267336.tif 000011
【図１０】
2005267336.tif 000012
【図１１】
2005267336.tif 000013
【図１２】
2005267336.tif 000014
【図１３】
2005267336.tif 000015
【図１４】
2005267336.tif 000016
【図１５】
2005267336.tif 000017
【図１６】
2005267336.tif 000018
【図１７】
2005267336.tif 000019
【図１８】
2005267336.tif 000020
【図１９】
2005267336.tif 000021
【図２０】
2005267336.tif 000022